(57)【要約】【課題】無線タグが埋め込まれた原稿からの画像読み取りに対応した画像読取装置において、原稿からの画像読み取りと無線タグからの情報読み取りとのタイミング制御を通じて、ノイズによる誤動作や読み取りエラー等の発生を抑制する【解決手段】原稿からの画像読み取りを行う画像読取手段１１と、前記原稿に埋め込まれた無線タグからの記録情報の読み取りを行う情報読取手段１３と、前記画像読取手段１１による画像読み取り期間と前記情報読取手段１３による情報読み取り期間とが重なり合わないように前記画像読取手段１１および前記情報読取手段１３の動作タイミングを制御するタイミング制御手段１６とを備えて、画像読取装置を構成する。【選択図】図１
2007081509.tif 000002
【特許請求の範囲】
【請求項１】
原稿からの画像読み取りを行う画像読取手段と、
前記原稿に埋め込まれた無線タグからの記録情報の読み取りを行う情報読取手段と、
前記画像読取手段による画像読み取り期間と前記情報読取手段による情報読み取り期間とが重なり合わないように前記画像読取手段および前記情報読取手段の動作タイミングを制御するタイミング制御手段と
を備えることを特徴とする画像読取装置。
【請求項２】
前記画像読取手段による画像読み取りの開始を指示するための操作手段を備えるとともに、
前記タイミング制御手段は、前記操作手段での開始指示がある以前の装置待機状態時を前記情報読取手段による情報読み取りの実施可能期間とし、前記操作手段での開始指示があった後から当該開始指示に応じた前記画像読取手段での画像読み取りが完了するまでの間を前記情報読取手段による情報読み取りの禁止期間とする
ことを特徴とする請求項１記載の画像読取装置。
【請求項３】
前記画像読取手段での画像読み取りの対象となる原稿が当該画像読み取りを開始可能な状態にセットされたことを検出する検出手段を備えるとともに、
前記タイミング制御手段は、前記検出手段による原稿セットの検出後から、当該検出に係る原稿からの情報読み取りまたは当該情報読み取りに付随する処理を前記情報読取手段が完了するまでの間を、前記画像読取手段による画像読み取りの禁止期間とする
ことを特徴とする請求項１記載の画像読取装置。
【請求項４】
前記画像読取手段は、読み取り対象となる原稿に沿って移動して当該原稿を走査するキャリッジを有したものであり、
前記タイミング制御手段は、前記原稿に対して前記キャリッジを２回移動させ、一方の移動で当該原稿に埋め込まれた無線タグからの情報読み取りを前記情報読取手段に行わせ、他方の移動で当該原稿からの画像読み取りを前記画像読取手段に行わせる
ことを特徴とする請求項１記載の画像読取装置。
【請求項５】
前記画像読取手段は、読み取り対象となる原稿に沿って移動して当該原稿を走査するキャリッジを有したものであり、
前記タイミング制御手段は、前記原稿に対する走査中に前記キャリッジの移動を一時停止させ、当該一時停止の期間中を前記情報読取手段による情報読み取りの実施可能期間と
する
ことを特徴とする請求項１記載の画像読取装置。
【請求項６】
前記画像読取手段は、主走査同期信号に従いつつ原稿１ページ分を主走査ライン毎にスキャンして画像読み取りを行うものであり、
前記タイミング制御手段は、前記画像読取手段によるスキャン期間を時分割し、前記主走査同期信号におけるインアクティブ期間中を前記情報読取手段による情報読み取りの実施可能期間とする
ことを特徴とする請求項１記載の画像読取装置。
【発明の詳細な説明】
【技術分野】
【０００１】
本発明は、原稿からの画像読み取りを行う画像読取装置に関し、特に無線タグが埋め込まれた原稿からの画像読み取りに対応した画像読取装置に関する。
【背景技術】
【０００２】
近年、個人認証情報や物品管理情報等を非接触で読み書きすることのできる無線タグが様々な形態で利用されつつある。無線タグとしては、例えばＲＦＩＤ（Radio Frequency Identification）タグが広く知られている。ＲＦＩＤタグは、情報記録が可能な無線ＩＣチップで、電波を使って専用のリーダとの間で情報を送受信する機能を持ち、その埋め込みによって被埋め込み物の識別等に利用されるものである。形状は、ラベル型、カード型、コイン型、スティック型等といった様々なものがあり、また通信距離も数mm程度のものから数ｍのものがあり、その用途に応じて使い分けられる。さらには、アンテナ側からの非接触電力伝送技術により、電池を持たない半永久的に利用可能なものも登場している。
【０００３】
このようなＲＦＩＤタグに代表される無線タグは、複写機やスキャナ装置等の画像読取装置の分野においても利用することが提案されている。すなわち、画像読取装置の中には、無線タグが埋め込まれた原稿からの画像読み取りに対応したものがある。具体的には、例えば、原稿からの画像読み取りを行う画像読取装置において、その原稿に埋め込まれた無線タグから、その無線タグに記録されている画像領域情報や画像属性情報等を読み取り、読み取った画像領域情報や画像属性情報等に基づき、原稿からの画像読み取りで得た画像データに対する画像処理（テキスト／イメージ分離処理や文字認識処理等）を行うものがある（例えば、特許文献１参照）。
【０００４】
【特許文献１】特開２００４−８８５８５号公報
【発明の開示】
【発明が解決しようとする課題】
【０００５】
ところで、ＲＦＩＤタグのような無線タグは、非接触で情報読み取りを行い得るため、原稿に埋め込んで利用できるという利便性を備えているが、無線通信を介して情報授受を行うため、ＥＭＥ（電磁放射）やＥＭＳ（電磁感受性）等のノイズによる誤動作や読み取りエラー等が容易に生じてしまう。
しかしながら、上述した従来技術による画像読取装置では、ノイズによる誤動作や読み取りエラー等について特段の考慮がされているわけではない。そのため、例えば、原稿からの画像読み取りの際の輻射ノイズにより、無線タグからの情報読み取りエラーを起こしてしまうことが考えられる。あるいは、無線タグとの無線通信から生じる電磁波によって、画像読み取りの誤動作が生じたり、その読み取り結果である画像データに悪影響が及ぶことも考えられる。特に、無線通信が高周波（例えば2.45GHz）になればなるほど、また通信距離を長くする等の理由で無線通信に用いる電波が強くなればなるほど、その傾向は顕著に現れる。
【０００６】
そこで、本発明は、原稿からの画像読み取りと無線タグからの情報読み取りとのタイミング制御を通じて、ノイズによる誤動作や読み取りエラー等の発生を抑制することのできる画像読取装置を提供することを目的とする。
【課題を解決するための手段】
【０００７】
本発明は、上記目的を達成するために案出された画像読取装置で、原稿からの画像読み取りを行う画像読取手段と、前記原稿に埋め込まれた無線タグからの記録情報の読み取りを行う情報読取手段と、前記画像読取手段による画像読み取り期間と前記情報読取手段による情報読み取り期間とが重なり合わないように前記画像読取手段および前記情報読取手段の動作タイミングを制御するタイミング制御手段とを備えることを特徴とするものである。
【０００８】
上記構成の画像読取装置によれば、タイミング制御手段による動作タイミングの制御によって、画像読取手段による画像読み取り期間と情報読取手段による情報読み取り期間とが重なり合うことがない。すなわち、画像読取手段による画像読み取りと情報読取手段による情報読み取りとは、それぞれ異なるタイミングで行われる。したがって、情報読取手段が無線通信を介して無線タグからの情報読み取りを行う場合であっても、画像読取手段が原稿からの画像読み取りを行う際の輻射ノイズによって情報読取手段が情報読み取りエラーを起こしてしまうことがない。さらには、情報読取手段での無線通信で生じる電磁波によって、画像読取手段での画像読み取りに誤動作が生じたり、その読み取り結果である画像データに悪影響が及ぶこともない。
【発明の効果】
【０００９】
以上のように、本発明の画像読取装置では、原稿からの画像読み取りと無線タグからの情報読み取りとをそれぞれ異なるタイミングで行うので、それぞれの動作時の電磁波等がノイズとなって誤動作や読み取りエラー等の要因となってしまうのを回避することができる。したがって、例えば無線通信が高周波の場合であっても、また通信距離を長くすべく無線通信に用いる電波が強い場合であっても、原稿からの画像読み取りと無線タグからの情報読み取りとのタイミング制御を通じて、ノイズによる誤動作や読み取りエラー等の発生を抑制することができ、結果として無線タグから読み取った情報の適切な利用および原稿からの画像読み取りの高品質化を実現し得るようになる。
【発明を実施するための最良の形態】
【００１０】
以下、図面に基づき本発明に係る画像読取装置について説明する。
【００１１】
〔画像読取装置の構成例の説明〕
先ず、画像読取装置の構成について説明する。図１は、本発明に係る画像読取装置の概略構成の一例を示す説明図である。
ここで例に挙げて説明する画像読取装置１０は、スキャナ装置、複写機若しくはＦＡＸ装置、またはこれらの機能を統合した複合機として用いられるもので、図例のように、スキャナ部１１と、原稿搬送部１２と、情報リーダ部１３と、画像処理部１４と、ＵＩ（User Interface）部１５と、制御部１６と、を備えている。
【００１２】
スキャナ部１１は、ＣＣＤ（Charge Coupled Device）等からなるイメージセンサを有してなるもので、原稿からの画像データの読み取りを行うものである。このスキャナ部１１が読み取り対象とする原稿には、無線タグが埋め込まれたものを含むものとする。無線タグとしては、例えばｎビットのデジタル情報が記録可能なＲＦＩＤタグが挙げられる。ただし、必ずしもＲＦＩＤタグに限定されることはなく、無線通信を利用した非接触での情報読み取りが可能なものであれば、他のものを用いても構わない。このような無線タグには、原稿上の画像についての画像領域情報や画像属性情報、あるいは個人認証管理情報や動作可否に関するセキュリティ情報等を、予め記録しておくことが考えられる。なお、ＲＦＩＤタグおよびその記録情報の詳細については、公知技術を用いて実現すればよいため、ここではその説明を省略する。また、スキャナ部１１は、無線タグが埋め込まれていない原稿からの画像読み取りにも対応し得ることは勿論である。
【００１３】
原稿搬送部１２は、ＡＤＦ（Automatic Document Feeder）またはＤＡＤＦ（Duplexing Automatic Document Feeder）からなるもので、スキャナ部１１での読み取り対象となる原稿の自動送りを行うものである。
【００１４】
情報リーダ部１３は、無線タグからの記録情報の読み取りを行うものであり、具体的にはＲＦＩＤタグからのデジタル情報の読み取りを非接触で行うＲＦＩＤリーダを用いて構成することが考えられる。この情報リーダ部１３は、原稿に埋め込まれた無線タグからの情報読み取りを行うが、これに加えて画像読取装置１０のユーザが所持する無線タグについて情報読み取りを行うものであってもよい。情報リーダ部１３の配設箇所としては、例えば、スキャナ部１１が有する原稿載置台（プラテンガラス）の近傍、または原稿走査のためプラテンガラスに沿って移動するキャリッジ上が挙げられる。また、原稿搬送部１２における原稿搬送路の近傍に配設することも考えられる。これらの箇所に限定されることはなく、画像読取装置１０内のいずれかの箇所であればよい。情報リーダ部１３とＲＦＩＤリーダとの通信能力（情報リーダ部１３における通信可能距離）によっては、その配設箇所に拘わらず、プラテンガラス上の原稿に埋め込まれた無線タグやユーザが所持する無線タグ等からの情報読み取りを行うことが可能だからである。
【００１５】
画像処理部１４は、スキャナ部１１での画像読み取りで得られた画像データに対する処理を行うものである。画像データに対する処理としては、テキスト／イメージ分離処理や文字認識処理、画像データの印刷出力処理やファクシミリ送信処理等といった、公知の画像処理が挙げられる。
【００１６】
ＵＩ部１５は、画像読取装置１０のユーザが情報入力のための操作を行ったり、そのユーザに対する情報出力を行ったりするものである。
【００１７】
制御部１６は、所定プログラムを実行するＣＰＵ（Central Processing Unit）等からなるもので、上述した各部１１〜１５および画像読取装置１０全体の動作制御を行うためのものである。この制御部１６が行う制御には、スキャナ部１１での画像読み取りについての動作タイミング制御と、情報リーダ部１３での情報読み取りについての動作タイミング制御とが含まれるものとする。
【００１８】
次に、以上のように構成された画像読取装置１０における処理動作例について説明する。ここでは、複写処理を行う場合、すなわちスキャナ部１１で読み取った画像データについて画像処理部１４が印刷出力処理を行う場合を例に挙げて説明する。
【００１９】
〔第１の処理動作例の説明〕
先ず、第１の処理動作例として、ユーザが所持する無線タグからの情報読み取りを行う場合の処理動作例を説明する。
図２は、本発明に係る画像読取装置における第１の処理動作例を示す説明図である。図例のように、画像読取装置１０では、装置稼働開始後、複写処理開始前の装置待機状態には、制御部１６が情報リーダ部１３をＯＮ状態、すなわち無線タグからの情報読み取りの実施可能状態としておく（ステップ１０１、以下ステップを「Ｓ」と略す）。その後、装置待機状態時に、無線タグであるＲＦＩＤタグが埋め込まれたＩＤカードを所持したユーザが画像読取装置１０に接近すると（Ｓ１０２）、情報リーダ部１３が情報読み取り実施可能状態となっている期間中にあるので、そのユーザが情報リーダ部１３における通信可能距離よりも近づいて時点で、情報リーダ部１３がそのユーザが所持するＩＤカードに埋め込まれたＲＦＩＤタグとの通信を開始し（Ｓ１０３）、そのＲＦＩＤタグからの記録情報の読み取りを行う（Ｓ１０４）。
【００２０】
情報リーダ部１３がＲＦＩＤタグからの情報読み取りを行うと、制御部１６は、その情報読み取りの結果を基にした個人認証処理を行う。すなわち、制御部１６は、情報リーダ部１３がＲＦＩＤタグから読み取った個人認証管理情報等を、予め画像読取装置１０内に設定登録されている情報と照合し（Ｓ１０５）、そのユーザに対する使用許可の可否を判定したり、使用権限を有する機能を動作可能にする機器設定を行ったりする（Ｓ１０６）。
【００２１】
そして、ユーザがスキャナ部１１または原稿搬送部１２に読み取り対象となる原稿をセットし（Ｓ１０７）、そのユーザがＵＩ部１５を操作して処理条件（例えば、出力サイズ、部数等）設定をした後（Ｓ１０８）、そのＵＩ部１５で処理スタート指示を行うと（Ｓ１０９）、制御部１６は、そのスタート指示をトリガに、情報リーダ部１３をＯＦＦ状態、すなわち無線タグからの情報読み取りの実施不能状態とする（Ｓ１１０）。
【００２２】
その一方で、制御部１６は、スタート指示に応じて、スキャナ部１１での原稿からの画像データの読み取りを開始させるとともに（Ｓ１１１）、その読み取りによってスキャナ部１１が得た画像データの印刷出力処理を画像処理部１４に行わせる（Ｓ１１２）。そして、画像処理部１４が画像が出力された用紙を排して印刷出力処理を完了すると（Ｓ１１３）、制御部１６は、再び情報リーダ部１３をＯＮ状態にして（Ｓ１１４）、新たにＩＤカードを所持したユーザが近づいた場合のために待機する。
【００２３】
このように、制御部１６は、ＵＩ部１５でのスタート指示があった後から、そのスタート指示に応じたスキャナ部１１での画像読み取りおよび画像処理部１４での画像処理が完了するまでの間を、情報リーダ部１３をＯＦＦ状態にして、その情報リーダ部１３による情報読み取りの禁止期間とする。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００２４】
〔第２の処理動作例の説明〕
次に、第２の処理動作例として、スキャナ部１１または原稿搬送部１２にセットされた原稿に埋め込まれた無線タグからの情報読み取りを行う場合の処理動作例を説明する。
図３は、本発明に係る画像読取装置における第２の処理動作例を示す説明図である。図例のように、画像読取装置１０では、スキャナ部１１での画像読み取りの対象となる原稿が、スキャナ部１１のプラテンガラス上または原稿搬送部１２における給紙トレイ上に、スキャナ部１１での画像読み取りを開始可能な状態にセットされたことを、スキャナ部１１または原稿搬送部１２が通常有するセンサ等の検出手段が検出すると（Ｓ２０１）、制御部１６は、その原稿セットの検出後から情報リーダ部１３をＯＮ状態、すなわち無線タグからの情報読み取りの実施可能状態にする（Ｓ２０２）。情報リーダ部１３がＯＮ状態になると、その情報リーダ部１３は、セットされた原稿に埋め込まれたＲＦＩＤタグとの通信を開始し（Ｓ２０３）、そのＲＦＩＤタグからの記録情報の読み取りを行う。そして、情報リーダ部１３による情報読み取りが完了すると（Ｓ２０４）、制御部１６は、その読み取り完了信号をトリガに、情報リーダ部１３をＯＦＦ状態、すなわち無線タグからの情報読み取りの実施不能状態とする（Ｓ２０５）。
【００２５】
一方、原稿セット後に、画像読取装置１０のユーザがＵＩ部１５で処理スタート指示を行うと（Ｓ２０６）、制御部１６は、情報リーダ部１３による情報読み取りが完了するまでは待機状態させるが、情報リーダ部１３による情報読み取りが完了後に、スキャナ部１１での原稿からの画像データの読み取りを開始させるとともに（Ｓ２０７）、情報リーダ部１３がその原稿のＲＦＩＤタグから読み取った属性情報等に従いつつ、スキャナ部１１での読み取りによって得られた画像データに対する処理（各種画像処理や印刷出力処理等）を画像処理部１４に行わせる（Ｓ２０８、Ｓ２０９）。そして、画像処理部１４が画像が出力された用紙を排して印刷出力処理を完了すると（Ｓ２１０）、制御部１６は、次の原稿がスキャナ部１１または原稿搬送部１２にセットされるまで待機状態とする（Ｓ２１１）。
【００２６】
このように、制御部１６は、原稿セットの検出後から、その検出に係る原稿に埋め込まれたＲＦＩＤタグからの情報読み取りが完了するまでの間を、スキャナ部１１での画像読み取り開始の禁止期間とする。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００２７】
なお、スキャナ部１１での画像読み取り開始の禁止期間は、その終期をＲＦＩＤタグからの情報読み取りの完了時とするのではなく、その情報読み取りに付随する処理の完了時とすることも考えられる。情報読み取りに付随する処理としては、例えば、情報読み取りによって得た情報に基づく個人認証処理が挙げられる。すなわち、ＲＦＩＤタグからの情報読み取り後、その読み取り情報に基づく使用許可の可否判定等を経て、その結果使用可能である場合にのみスキャナ部１１での画像読み取りを開始させるようにする。
【００２８】
〔第３の処理動作例の説明〕
次に、第３の処理動作例として、スキャナ部１１のプラテンガラス上にセットされた原稿に埋め込まれたＲＦＩＤタグからの情報読み取りを行う場合の処理動作例を説明する。
【００２９】
ここでは、プラテンガラス上の原稿に埋め込まれたＲＦＩＤタグからの情報読み取りを行うために、そのプラテンガラスに沿って移動するキャリッジ上に情報リーダ部（ＲＦＩＤリーダ）●が配設されているものとする。キャリッジ上に情報リーダ部１３を配設した場合には、例えば原稿に複数のＲＦＩＤタグが埋め込まれていても、各ＲＦＩＤタグからの情報読み取りに適切に対応し得るからである。すなわち、例えば原稿の部分的な画像の属性情報とそれに対する位置情報をリンクさせる目的でその原稿に複数のＲＦＩＤタグが埋め込まれている場合に、情報リーダ部１３の通信可能距離が大きい（例えば１ｍ程度）と、同時に全てのＲＦＩＤタグの情報を読み取ってしまうため、位置情報との関連付けができなくなってしまう。これを回避するには、通信可能距離の短い（例えば１０ｃｍ×１０ｃｍ程度の通信範囲）情報リーダ部１３を用いればよいが、短い通信可能距離でプラテンガラス上に置かれた原稿内の全情報を読み取るためには、情報リーダ部１３を移動させる必要がある。キャリッジ上に情報リーダ部１３を配設した場合であれば、その移動をキャリッジの移動を利用して行うことができ、これにより短い通信可能距離であっても各ＲＦＩＤタグからの情報読み取りに適切に行い得るのである。
【００３０】
図４は、本発明に係る画像読取装置における第３の処理動作例を示す説明図である。ここで説明する第３の処理動作例では、ＲＦＩＤタグからの情報読み出し用のプリスキャンを行った後に、再度キャリッジを動作させて、原稿からの画像読み取り用の本スキャンを行うようになっている。
【００３１】
すなわち、画像読取装置１０では、読み取りの対象となる原稿がスキャナ部１１のプラテンガラス上にセットされた後（Ｓ３０１）、ユーザによるＵＩ部１５での処理条件（例えば、出力サイズ、部数等）の設定および処理スタート指示があると（Ｓ３０２、Ｓ３０３）、スキャナ部１１のキャリッジがホームポジションからの移動を開始する（Ｓ３０４）。すなわち、キャリッジがプリスキャンを開始する。
【００３２】
キャリッジがプリスキャンを開始すると、制御部１６は、キャリッジ上に配設された情報リーダ部１３をＯＮ状態、すなわちＲＦＩＤタグからの情報読み取りの実施可能状態にする（Ｓ３０５）。情報リーダ部１３がＯＮ状態になると、その情報リーダ部１３は、キャリッジの移動を利用しつつ、プラテンガラス上の原稿に埋め込まれた各ＲＦＩＤタグとの通信を開始し（Ｓ３０６）、これらのＲＦＩＤタグからの記録情報の読み取りを行う。そして、情報リーダ部１３による情報読み取りが完了すると（Ｓ３０７）、制御部１６は、その読み取り完了信号をトリガに、情報リーダ部１３をＯＦＦ状態、すなわちＲＦＩＤタグからの情報読み取りの実施不能状態とする（Ｓ３０８）。
【００３３】
情報リーダ部１３をＯＦＦ状態とすると、制御部１６は、キャリッジの動作、すなわちプリスキャンを終了し（Ｓ３０９）、キャリッジをホームポジションに戻した後に、再びキャリッジのホームポジションからの移動を開始させる（Ｓ３１０）。これにより、キャリッジは、本スキャンを開始することになる。その後は、スキャナ部１１での原稿からの画像データの読み取りを開始させ（Ｓ３１１）、その画像読み取りが終了すると、キャリッジの動作、すなわち本スキャンを終了し（Ｓ３１２）、キャリッジをホームポジションに戻す。そして、制御部１６は、スキャナ部１１が本スキャンで得た画像データについて、情報リーダ部１３が得た属性情報等に従いつつ、画像処理部１４での処理（各種画像処理や印刷出力処理等）を行わせ（Ｓ３１４、Ｓ３１５）、画像処理部１４が画像が出力された用紙を排して印刷出力処理を完了すると（Ｓ３１６）、次の原稿がスキャナ部１１のプラテンガラス上にセットされるまで待機状態とする（Ｓ３１７）。
【００３４】
このように、制御部１６は、プラテンガラス上にセットされた原稿に対して、キャリッジを２回移動させ、一方の移動（プリスキャン）でその原稿に埋め込まれたＲＦＩＤタグからの情報読み取りを情報リーダ部１３に行わせ、他方の移動（本スキャン）でその原稿からの画像読み取りをスキャナ部１１に行わせる。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００３５】
〔第４の処理動作例の説明〕
次に、第４の処理動作例として、スキャナ部１１のプラテンガラス上にセットされた原稿に埋め込まれたＲＦＩＤタグからの情報読み取りを行う場合の処理動作例を説明する。ここでも、第３の処理動作例の場合と同様に、プラテンガラス上の原稿に埋め込まれたＲＦＩＤタグからの情報読み取りを行うために、そのプラテンガラスに沿って移動するキャリッジ上に情報リーダ部（ＲＦＩＤリーダ）●が配設されているものとする。
【００３６】
図５は、本発明に係る画像読取装置における第４の処理動作例を示す説明図である。ここで説明する第４の処理動作例では、ＲＦＩＤタグからの情報読み出しと原稿からの画像読み取りとを、一回のスキャン（キャリッジの移動）で行うようになっている。
【００３７】
すなわち、画像読取装置１０では、読み取りの対象となる原稿がスキャナ部１１のプラテンガラス上にセットされた後（Ｓ４０１）、ユーザによるＵＩ部１５での処理条件（例えば、出力サイズ、部数等）の設定および処理スタート指示があると（Ｓ４０２、Ｓ４０３）、スキャナ部１１のキャリッジがホームポジションからの移動を開始する（Ｓ４０４）。
【００３８】
キャリッジがスキャンを開始すると、制御部１６は、スキャナ部１１での原稿からの画像データの読み取りを開始させる（Ｓ４０５）。そして、ＲＦＩＤタグの埋め込み位置に応じて予め設定されている所定量、具体的には例えば所定数の走査ライン分の画像データの読み取りが終了すると、制御部１６は、スキャナ部１１での画像読み取りを一時中断させるとともに（Ｓ４０５）、キャリッジの移動も一時停止させる（Ｓ４０７）。
【００３９】
キャリッジを一時停止させると、制御部１６は、そのキャリッジ上に配設された情報リーダ部１３をＯＮ状態、すなわちＲＦＩＤタグからの情報読み取りの実施可能状態にする（Ｓ４０８）。情報リーダ部１３がＯＮ状態になると、その情報リーダ部１３は、キャリッジの一時停止箇所にて、プラテンガラス上の原稿に埋め込まれたＲＦＩＤタグとの通信を開始し（Ｓ４０９）、そのＲＦＩＤタグからの記録情報の読み取りを行う。そして、情報リーダ部１３による情報読み取りが完了すると（Ｓ４１０）、制御部１６は、その読み取り完了信号をトリガに、情報リーダ部１３をＯＦＦ状態、すなわちＲＦＩＤタグからの情報読み取りの実施不能状態とする（Ｓ４１１）。
【００４０】
情報リーダ部１３をＯＦＦ状態とすると、制御部１６は、キャリッジの動作を再開させる（Ｓ４１２）。そして、スキャナ部１１での原稿からの画像データの読み取りを開始させ（Ｓ４１３）、その画像読み取りが終了すると（Ｓ４１４）、キャリッジの動作を終了して（Ｓ４１５）、キャリッジをホームポジションに戻すとともに、そのスキャンでスキャナ部１１が得た画像データについて、情報リーダ部１３が得た属性情報等に従いつつ、画像処理部１４での処理（各種画像処理や印刷出力処理等）を行わせ（Ｓ４１６、Ｓ４１７）、画像処理部１４が画像が出力された用紙を排して印刷出力処理を完了すると（Ｓ４１８）、次の原稿がスキャナ部１１のプラテンガラス上にセットされるまで待機状態とする（Ｓ４１９）。
【００４１】
このように、制御部１６は、プラテンガラス上にセットされた原稿に対して、その原稿に対する走査中にキャリッジの移動を一時停止させ、当該一時停止の期間中を情報リーダ部１３による情報読み取りの実施可能期間とする。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００４２】
〔第５の処理動作例の説明〕
次に、第５の処理動作例として、スキャナ部１１のプラテンガラス上にセットされた原稿に埋め込まれたＲＦＩＤタグからの情報読み取りを行う場合の処理動作例を説明する。ここでも、第３または第４の処理動作例の場合と同様に、キャリッジの移動を利用して原稿からの画像読み取りを行うものとする。ただし、その画像読み取りは、所定の主走査同期信号に従いつつ、原稿１ページ分を主走査ライン毎にスキャンして行う。
【００４３】
ここで、画像読み取りを行う際の基準となる主走査同期信号について、簡単に説明する。図６は、主走査同期信号の一具体例を示す説明図である。図例のように、主走査同期信号は、主走査ライン毎の区切りを明確にする信号で、一つの主走査ラインについての処理期間毎に、画像データの取り扱い（読み取り、転送等）を行うラインシンク（ＬＳ）信号のアクティブ期間（以下「Actv期間」と略す）と、画像データが存在しないインアクティブ期間（以下「InAct期間」と略す）とから構成されている。
【００４４】
図７は、本発明に係る画像読取装置における第５の処理動作例を示す説明図である。ここで説明する第５の処理動作例では、ＲＦＩＤタグからの情報読み出しと原稿からの画像読み取りとを、一回のスキャン（キャリッジの移動）で行うようになっている。
【００４５】
すなわち、画像読取装置１０では、読み取りの対象となる原稿がスキャナ部１１のプラテンガラス上にセットされた後（Ｓ５０１）、ユーザによるＵＩ部１５での処理条件（例えば、出力サイズ、部数等）の設定および処理スタート指示があると（Ｓ５０２、Ｓ５０３）、スキャナ部１１のキャリッジがホームポジションからの移動を開始する（Ｓ５０４）。
【００４６】
キャリッジの動作開始後、制御部１６は、主走査同期信号のInAct期間の開始になると（Ｓ５０５）、そのInAct期間の最中は画像データを取り扱う必要がなく、したがってスキャナ部１１での画像読み取りも行う必要がないので、そのInAct期間のみ情報リーダ部１３をＯＮ状態、すなわちＲＦＩＤタグからの情報読み取りの実施可能状態にする（Ｓ５０５）。情報リーダ部１３がＯＮ状態になると、その情報リーダ部１３は、InAct期間中に、プラテンガラス上の原稿に埋め込まれたＲＦＩＤタグとの通信を開始し（Ｓ５０６）、そのＲＦＩＤタグからの記録情報の読み取りを行う。そして、情報リーダ部１３による情報読み取りが完了すると（Ｓ５０７）、制御部１６は、その読み取り完了信号をトリガに、情報リーダ部１３をＯＦＦ状態、すなわちＲＦＩＤタグからの情報読み取りの実施不能状態とする（Ｓ５０８）。なお、InAct期間中におけるＲＦＩＤタグからの情報読み取りは、必ずしも一度に当該ＲＦＩＤタグの全記録情報について読み取りを行う必要はなく、例えばInAct期間が短く全記録情報を一度で読みきれない場合には、複数のInAct期間に分けて行うようにしてもよい。
【００４７】
情報リーダ部１３をＯＦＦ状態とした後、制御部１６は、主走査同期信号のInAct期間の終了（Ｓ５０９）およびActv期間の開始（Ｓ５１０）に応じて、スキャナ部１１での原稿からの画像データの読み取りを開始させ（Ｓ５１１）、これを次のInAct期間の開始まで継続させる（Ｓ５１２）。そして、以上のような一連の処理を、プラテンガラス上の原稿の１ページ分について終了するまで、繰り返して行わせる（Ｓ５０５〜Ｓ５１３）。この繰り返しによって、ＲＦＩＤタグからの情報読み取りを複数のInAct期間に分けて行うことが可能となるのである。
【００４８】
原稿１ページ分についての一連の処理が終了すると、制御部１６は、その一連の処理を通じてスキャナ部１１が得た画像データについて、情報リーダ部１３が得た属性情報等に従いつつ、画像処理部１４での処理（各種画像処理や印刷出力処理等）を行わせ（Ｓ５１４、Ｓ５１５）、画像処理部１４が画像が出力された用紙を排して印刷出力処理を完了すると（Ｓ５１６）、次の原稿がスキャナ部１１のプラテンガラス上にセットされるまで待機状態とする（Ｓ５１７）。
【００４９】
このように、制御部１６は、スキャナ部１１によるスキャン期間を時分割し、主走査同期信号におけるInAct期間中を情報リーダ部１３による情報読み取りの実施可能期間とする。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００５０】
〔第６の処理動作例の説明〕
次に、第６の処理動作例として、原稿搬送部１２を利用した、いわゆるＣＶＴ（Constant Velocity Transfer）スキャンを行う場合、すなわち原稿搬送部１２が搬送する原稿に埋め込まれたＲＦＩＤタグからの情報読み取りを行う場合の処理動作例を説明する。ここでも、第５の処理動作例の場合と同様に、原稿からの画像読み取りは、所定の主走査同期信号に従いつつ、原稿１ページ分を主走査ライン毎にスキャンして行われるものとする。
【００５１】
図８は、本発明に係る画像読取装置における第６の処理動作例を示す説明図である。図例のように、画像読取装置１０では、読み取りの対象となる原稿束が原稿搬送部１２の給紙トレイ上にセットされた後（Ｓ６０１）、ユーザによるＵＩ部１５での処理条件（例えば、出力サイズ、部数等）の設定および処理スタート指示があると（Ｓ６０２、Ｓ６０３）、原稿搬送部１２が給紙トレイ上にセットされた原稿束についての原稿搬送を開始する（Ｓ６０４）。これにより、その原稿束を構成する原稿は、一枚づつ毎葉で繰り出されて、スキャナ部１１に向けて搬送されることになる。
【００５２】
原稿搬送部１２による原稿の搬送開始後、制御部１６は、主走査同期信号のInAct期間の開始になると（Ｓ６０５）、そのInAct期間のみ情報リーダ部１３をＯＮ状態、すなわちＲＦＩＤタグからの情報読み取りの実施可能状態にする（Ｓ６０５）。情報リーダ部１３がＯＮ状態になると、その情報リーダ部１３は、原稿搬送部１２によって搬送される原稿、すなわち情報リーダ部１３における情報読み取り位置を通過する原稿について、InAct期間中に、その原稿に埋め込まれたＲＦＩＤタグとの通信を開始し（Ｓ６０６）、そのＲＦＩＤタグからの記録情報の読み取りを行う。そして、これ以降、上述した第５の処理動作例の場合と同様の手順の処理動作を行う（Ｓ６０７〜Ｓ６１７）。
【００５３】
このように、制御部１６は、ＣＶＴスキャンの場合についても、そのスキャン期間を時分割し、主走査同期信号におけるInAct期間中を情報リーダ部１３による情報読み取りの実施可能期間とする。このような制御部１６による動作タイミングの制御によって、情報リーダ部１３による情報読み取り期間とスキャナ部１１による画像読み取り期間とが重なり合うことがない。つまり、スキャナ部１１による画像読み取りと情報リーダ部１３による情報読み取りとは、それぞれ異なるタイミングで行われることになる。したがって、情報リーダ部１３が無線通信を介してＲＦＩＤタグからの情報読み取りを行う場合であっても、スキャナ部１１が原稿からの画像読み取りを行う際の輻射ノイズによって情報リーダ部１３が情報読み取りエラーを起こしてしまうことがない。さらには、情報リーダ部１３での無線通信で生じる電磁波によって、スキャナ部１１での画像読み取りに誤動作が生じたり、その読み取り結果である画像データに悪影響が及ぶこともない。
【００５４】
以上のように、第１〜第６の処理動作例で説明した手順の処理を行う画像読取装置は、いずれの処理動作例の場合についても、原稿からの画像読み取りとＲＦＩＤタグからの情報読み取りとをそれぞれ異なるタイミングで行うので、それぞれの動作時の電磁波等がノイズとなって誤動作や読み取りエラー等の要因となってしまうのを回避することができる。したがって、例えば無線通信が高周波の場合であっても、また通信距離を長くすべく無線通信に用いる電波が強い場合であっても、原稿からの画像読み取りとＲＦＩＤタグからの情報読み取りとのタイミング制御を通じて、ノイズによる誤動作や読み取りエラー等の発生を抑制することができ、結果として無線タグから読み取った情報の適切な利用および原稿からの画像読み取りの高品質化を実現し得るのである。
【００５５】
なお、本実施形態では、本発明の好適な実施具体例を説明したが、本発明はその内容に限定されるものではない。すなわち、本発明は、その要旨を逸脱しない範囲で適宜変更することが可能である。
【図面の簡単な説明】
【００５６】
【図１】本発明に係る画像読取装置の概略構成の一例を示す説明図である。
【図２】本発明に係る画像読取装置における第１の処理動作例を示す説明図である。
【図３】本発明に係る画像読取装置における第２の処理動作例を示す説明図である。
【図４】本発明に係る画像読取装置における第３の処理動作例を示す説明図である。
【図５】本発明に係る画像読取装置における第４の処理動作例を示す説明図である。
【図６】主走査同期信号の一具体例を示す説明図である。
【図７】本発明に係る画像読取装置における第５の処理動作例を示す説明図である。
【図８】本発明に係る画像読取装置における第６の処理動作例を示す説明図である。
【符号の説明】
【００５７】
１０…画像読取装置、１１…スキャナ部、１２…原稿搬送部、１３…情報リーダ部、１４…画像処理部、１５…ＵＩ部、１６…制御部
【図１】
2007081509.tif 000003
【図２】
2007081509.tif 000004
【図３】
2007081509.tif 000005
【図４】
2007081509.tif 000006
【図５】
2007081509.tif 000007
【図６】
2007081509.tif 000008
【図７】
2007081509.tif 000009
【図８】
2007081509.tif 000010